(57)【要約】【課題】ディスプレイの上下方向の傾きを調整及び固定可能なディスプレイ支持装置を簡素な構成で製作でき、かつ基部に対するディスプレイの支持状態を解除することなく、ディスプレイの傾きを調整できるディスプレイの支持装置を提供すること。【解決手段】ディスプレイ２の上下方向の傾きを調整及び固定可能なディスプレイの支持装置１であって、立設された立設基部３の正面側に設けられた支持部７に、上下一対の横杆８ａ，８ｂを設け、ディスプレイ２の背面側に取り付けられた左右一対の縦杆９を、それぞれ両横杆８ａ，８ｂに連結し、少なくとも上下いずれかの横杆８ａ，８ｂを支軸として立設基部３に対する縦杆９の傾きが調整可能となっている。【選択図】図５
2010107745.tif 000002
【特許請求の範囲】
【請求項１】
ディスプレイの上下方向の傾きを調整及び固定可能なディスプレイの支持装置であって、
立設された立設基部の正面側に設けられた支持部に、上下一対の横杆を設け、前記ディスプレイの背面側に取り付けられた左右一対の縦杆を、それぞれ前記両横杆に連結し、少なくとも上下いずれかの前記横杆を支軸として前記立設基部に対する前記縦杆の傾きが調整可能となっていることを特徴とするディスプレイの支持装置。
【請求項２】
前記左右の両縦杆は、それぞれ前記横杆に沿って左右方向に移動可能になっていることを特徴とする請求項１に記載のディスプレイの支持装置。
【請求項３】
前記上下の両横杆を側面視で円形状に形成し、前記支持部の上下いずれか一方に形成した円形状をなす円形孔部と、他方に形成した前後方向に長い長円形状をなす長円孔部と、に前記両横杆をそれぞれ挿設させることを特徴とする請求項１または２に記載のディスプレイの支持装置。
【請求項４】
前記支持部は、前記円形孔部及び前記長円孔部が形成されて前記立設基部に固定される固定部材と、少なくとも前記長円孔部に挿設される横杆に連結された連結部材と、で構成されており、前記支持部には、前記固定部材に対する前記連結部材の前後方向の位置決めを行う位置決め手段が設けられることを特徴とする請求項３に記載のディスプレイの支持装置。
【請求項５】
前記支持部は、上方に開口した凹部が形成されて前記立設基部に固定される固定部材と、前記凹部の上方の開口を閉じる押え部が形成された押え部材と、で構成されており、前記上方の横杆が前記凹部に保持された状態で、前記押え部材が前記固定部材に取り付けられることを特徴とする請求項１または２に記載のディスプレイの支持装置。
【請求項６】
前記縦杆の上部には、前記上方の横杆に係合されるフック部が設けられるとともに、前記縦杆の下部には、摘み部を有する螺合部材を用いて前記下方の横杆に締結される締結部が設けられることを特徴とする請求項１ないし５のいずれかに記載のディスプレイの支持装置。
【請求項７】
前記立設基部の正面側には、上下方向に並設された複数のスリット孔が設けられ、該スリット孔に係止される係止片が前記支持部に設けられることを特徴とする請求項１ないし６のいずれかに記載のディスプレイの支持装置。
【発明の詳細な説明】
【技術分野】
【０００１】
本発明は、ディスプレイの上下方向の傾きを調整及び固定可能なディスプレイの支持装置に関する。
【背景技術】
【０００２】
従来、ディスプレイとほぼ同じ大きさのフレームと、ディスプレイの背面に固着される２本の垂直支持部材と、キャスターを有して床面に設置される２本の脚部と、により構成される平面ディスプレイ固定用スタンドがある。このようなスタンドでは、フレームが回動支持部材を中心として回動され、位置固定部材の通孔に挿通された締結部材が、脚部の垂直支持部に穿設された固定用孔に螺着されることで、ディスプレイの上下方向の傾きを調整できるようにしている（例えば、特許文献１参照）。
【０００３】
【特許文献１】特開２００３−１８６４１２号公報（第５頁、第５，７図）
【発明の開示】
【発明が解決しようとする課題】
【０００４】
特許文献１に記載の平面ディスプレイ固定用スタンド（ディスプレイの支持装置）にあっては、簡素な構成でディスプレイを支持するスタンドを製作でき、大型で重量のあるディスプレイであっても、調整したディスプレイの上下方向の傾きが使用中に変化することなく固定できるようになっているが、ディスプレイを支持している締結部材の操作によって傾きの調整が行われるため、ディスプレイの傾きの調整の際に、ディスプレイの支持状態が一旦解除されてしまい、ディスプレイが不安定になるという問題がある。
【０００５】
本発明は、このような問題点に着目してなされたもので、ディスプレイの上下方向の傾きを調整及び固定可能なディスプレイ支持装置を簡素な構成で製作でき、かつ基部に対するディスプレイの支持状態を解除することなく、ディスプレイの傾きを調整できるディスプレイの支持装置を提供することを目的とする。
【課題を解決するための手段】
【０００６】
前記課題を解決するために、本発明の請求項１に記載のディスプレイの支持装置は、
ディスプレイの上下方向の傾きを調整及び固定可能なディスプレイの支持装置であって、
立設された立設基部の正面側に設けられた支持部に、上下一対の横杆を設け、前記ディスプレイの背面側に取り付けられた左右一対の縦杆を、それぞれ前記両横杆に連結し、少なくとも上下いずれかの前記横杆を支軸として前記立設基部に対する前記縦杆の傾きが調整可能となっていることを特徴としている。
この特徴によれば、ディスプレイの上下方向の傾きを調整及び固定可能なディスプレイ支持装置を簡素な構成で製作でき、かつディスプレイが取り付けられた縦杆は、横杆を介して常に支持部に対して支持されており、支持部に対するディスプレイの支持状態を解除することなく、上下いずれかの横杆を支軸としてディスプレイの傾きを調整できる。
【０００７】
本発明の請求項２に記載のディスプレイの支持装置は、請求項１に記載のディスプレイの支持装置であって、
前記左右の両縦杆は、それぞれ前記横杆に沿って左右方向に移動可能になっていることを特徴としている。
この特徴によれば、様々な左右幅のディスプレイに対応して左右の縦杆の離間距離が変化しても、縦杆を横杆に連結することができる。
【０００８】
本発明の請求項３に記載のディスプレイの支持装置は、請求項１または２に記載のディスプレイの支持装置であって、
前記上下の両横杆を側面視で円形状に形成し、前記支持部の上下いずれか一方に形成した円形状をなす円形孔部と、他方に形成した前後方向に長い長円形状をなす長円孔部と、に前記両横杆をそれぞれ挿設させることを特徴としている。
この特徴によれば、長円孔部に挿設される上下いずれか一方の横杆は、長円孔部の範囲内で前後方向に移動でき、その移動によりディスプレイの傾きの調整を行うことができ、簡素な構成でディスプレイの上下方向の傾きを調整できる。
【０００９】
本発明の請求項４に記載のディスプレイの支持装置は、請求項３に記載のディスプレイの支持装置であって、
前記支持部は、前記円形孔部及び前記長円孔部が形成されて前記立設基部に固定される固定部材と、少なくとも前記長円孔部に挿設される横杆に連結された連結部材と、で構成されており、前記支持部には、前記固定部材に対する前記連結部材の前後方向の位置決めを行う位置決め手段が設けられることを特徴としている。
この特徴によれば、上下の両横杆は、円形孔部及び長円孔部が形成された固定部材により互いに強固に連結されるようになり、かつ位置決め手段により連結部材の前後方向の位置決めを行うことで、長円孔部に横杆を挿通させた状態で、固定部材に対するディスプレイの支持状態を解除することなく、ディスプレイの傾きを調整できる。
【００１０】
本発明の請求項５に記載のディスプレイの支持装置は、請求項１または２に記載のディスプレイの支持装置であって、
前記支持部は、上方に開口した凹部が形成されて前記立設基部に固定される固定部材と、前記凹部の上方の開口を閉じる押え部が形成された押え部材と、で構成されており、前記上方の横杆が前記凹部に保持された状態で、前記押え部材が前記固定部材に取り付けられることを特徴としている。
この特徴によれば、横杆の支持部に対する取付作業を容易に行うことができ、かつ常に固定部材の凹部にて横杆が支持されるようになるため、例え押え部材が外れた状態であっても、横杆は固定部材から脱落せずに済むようになる。
【００１１】
本発明の請求項６に記載のディスプレイの支持装置は、請求項１ないし５のいずれかに記載のディスプレイの支持装置であって、
前記縦杆の上部には、前記上方の横杆に係合されるフック部が設けられるとともに、前記縦杆の下部には、摘み部を有する螺合部材を用いて前記下方の横杆に締結される締結部が設けられることを特徴としている。
この特徴によれば、縦杆が取り付けられたディスプレイの上部を、上方の横杆に対してフック部を用いて係止させた状態で、摘み部を有する螺合部材によりディスプレイの下部を下方の横杆に締結することができ、ディスプレイの取付作業を簡便に行うことができる。
【００１２】
本発明の請求項７に記載のディスプレイの支持装置は、請求項１ないし６のいずれかに記載のディスプレイの支持装置であって、
前記立設基部の正面側には、上下方向に並設された複数のスリット孔が設けられ、該スリット孔に係止される係止片が前記支持部に設けられることを特徴としている。
この特徴によれば、支持部を容易に立設基部の正面側に取り付けることができ、かつ係止片が係止されるスリット孔を変更することで、支持部の配置位置を立設基部における上下方向の任意の位置に変更することができる。また、目立ち難いスリット孔を立設基部の正面側に設けるため、立設基部の見栄えに影響を与えずに済むようになる。
【発明を実施するための最良の形態】
【００１３】
本発明に係るディスプレイの支持装置を実施するための最良の形態を実施例に基づいて以下に説明する。
【実施例１】
【００１４】
本発明の実施例を図面に基づいて説明すると、先ず図１は、本発明の実施例１におけるディスプレイの支持装置を示す斜視図であり、図２は、立設基部の昇降及び縦杆の左右移動を示すディスプレイ支持装置を示す正面図であり、図３は、立設基部の昇降を示すディスプレイ支持装置を示す側面図であり、図４は、ディスプレイ支持装置を示す平面図であり、図５は、ディスプレイ支持装置を示す分解斜視図であり、図６は、支持部を示す側面図であり、図７は、図２におけるＡ−Ａ断面図であり、図８は、図２におけるＢ−Ｂ断面図であり、図９は、図２におけるＣ−Ｃ断面図である。以下、図３、図６の紙面左方側をディスプレイの支持装置の正面側（前方側）とし、図４、図７、図８、図９の紙面下方側をディスプレイの支持装置の正面側（前方側）として説明する。
【００１５】
図１の符号１は、本発明のディスプレイの支持装置である。このディスプレイの支持装置１は、例えば企業の会議室や屋内イベントの展示ブース等に設置され、上部に大型で薄型の液晶テレビ等のディスプレイ２を取り付けて使用されるようになっている。
【００１６】
図１〜図３に示すように、ディスプレイの支持装置１は、主にアルミやスチール等の金属材を用いて製作されている。このディスプレイの支持装置１は、上下方向に延びる装置胴部３を有している。この装置胴部３の下端部には、ディスプレイの支持装置１を床面に設置させるためのベース体４が取り付けられている。本実施例では、装置胴部３とベース体４とによって脚体５が構成されている。
【００１７】
装置胴部３の内部には、上部が装置胴部３の上方に突出して配置される立設基部６が立設されている。また、立設基部６の上部の正面側には、ディスプレイ２を支持するための支持部７が設けられている。
【００１８】
図２に示すように、支持部７には、左右方向を向く上下一対の上部横杆８ａと下部横杆８ｂとが取り付けられている。この上部横杆８ａ及び下部横杆８ｂには、上下方向を向く左右一対の縦杆９が取り付けられるようになっている。
【００１９】
両縦杆９には、前後方向に貫通する複数のスリット孔９ａと貫通孔９ｂとが穿設されている。両縦杆９をディスプレイ２の背面を縦杆９の正面に当接させた状態で、これらスリット孔９ａと貫通孔９ｂとに挿通させたネジによって、両縦杆９とディスプレイ２とを螺着する。両縦杆９は、ディスプレイ２を取り付けた状態で、上部横杆８ａ及び下部横杆８ｂに着脱自在に取り付けられる。
【００２０】
両縦杆９は、上部横杆８ａと下部横杆８ｂとに沿って左右方向の任意の位置に着脱自在となっている。縦杆９が左右方向に移動できることによって、様々なサイズのディスプレイ２を取り付けることができる。
【００２１】
更に、図３に示すように、装置胴部３から立設された立設基部６は、脚体５に対して昇降自在となっており、支持部７に取り付けられたディスプレイ２の高さ位置を変更でき、ディスプレイ２は任意の高さ位置で固定される。
【００２２】
次に、このディスプレイの支持装置１の具体的な構成について説明する。図５に示すように、ベース体４は、上部に立設基部６が配置される中央ベース４ａを備えている。この中央ベース４ａの上面の背面側には、後述する開閉可能な後部パネル体の下部を吸着するための左右一対の磁石１０が背面側を向いて取り付けられている。また、中央ベース４ａの下端部の背面側には、立設基部６を上下動させるための、本発明における操作部としての操作ペダル１１が取り付けられている。
【００２３】
この操作ペダル１１は、中央ベース４ａの上面中央に形成された操作凹部４ｂに接続されており、使用者が操作ペダル１１を踏むことによって、操作凹部４ｂ内に配置されたガススプリング１２を操作できるようになっている。また、中央ベース４ａの左右背面側には、中央ベース４ａの上面から背面にかけて下方に傾斜をなす傾斜面４ｃが形成されている。
【００２４】
この中央ベース４ａの左右方向には、前後方向に向けて側脚４ｅが延設されている側部ベース４ｄが取り付けられている。両側部ベース４ｄから延設されている計４本の側脚４ｅの先端部には、キャスター４ｆが取り付けられており、ディスプレイの支持装置１が床面上を移動できるようにしている。
【００２５】
尚、図４に示すように、これら側脚４ｅは、ディスプレイの支持装置１の背面側に延設されている側脚４ｅよりも正面側に延設されている側脚４ｅの方が長く形成されており、これら４本の側脚４ｅは平面視で略Ｘ形状をなすように配置されている。このため、ディスプレイの支持装置１は、側脚４ｅによってディスプレイ２の荷重によって正面側に向けて不用意に傾倒しないように支持されている。
【００２６】
図５に示すように、左右の側部ベース４ｄの上面には、上下方向を向く支柱１３が立設されている。両支柱１３の正面は、平面視で左右外側後方に向かう略円弧状をなす傾斜面１３ａとなっている。両支柱１３の左右外側面の上部には、本発明における把持部としての側方把持部１４が取り付けられており、使用者はこの側方把持部１４を把持することで、ディスプレイの支持装置１を移動させることができるようになっている。
【００２７】
両支柱１３の左右内側面には、互いに対向する本発明におけるガイド部としてのガイド溝１３ｂが上下方向に形成されており、図８に示すように、支柱１３は、横断面視で略コ字形状をなすように形成されている。
【００２８】
また、支柱１３の正面側の左右内側端部には、支柱１３の上下長さ略全長に亘って平面視で略Ｌ字形状をなす嵌合片１３ｃが設けられている。嵌合片１３ｃの正面側は、支柱１３から離間している遊端部となっており、この遊端部と支柱１３間には、正面側に向かって開口する係止溝１３ｄが形成されている。この係止溝１３ｄ内には、正面側に向けて上下方向に複数のスリット孔１５ａが形成された被係止フレーム１５が嵌合されている。
【００２９】
そして、両支柱１３間の正面端部には、装置胴部３の正面側を閉塞するための前部パネル体１６が配置されている。この前部パネル体１６の背面には、ディスプレイの支持装置１の背面側に向かって開口する平面視で略コ字形状をなす取付金具１６ａが取り付けられており、この取付金具１６ａは、前部パネル体１６が両支柱１３間に配置されることで嵌合片１３ｃ間に配置される。
【００３０】
この状態で、取付金具１６ａを装置胴部３の内方から嵌合片１３ｃに対して螺着することにより、前部パネル体１６は、両支柱１３を連結して取り付けられている。更に、前部パネル体１６は、左右の係止溝１３ｄの正面側を閉塞しないように配置されて螺着されている。前部パネル体１６と支柱１３との間には、間隙が形成される。
【００３１】
尚、本実施例におけるディスプレイの支持装置１は、装置胴部３の正面側にノートＰＣやディスプレイ２を操作するためのリモートコントローラ等の物品を載置可能な天板１７を取り付けることができる。
【００３２】
図３に示すように、天板１７の下面には、後端部に係止片１８ａを有する棚板支持ブラケット１８が固着されている。天板１７を装置胴部３に取り付ける際には、係止片１８ａを、前部パネル体１６と支柱１３との間に形成された両間隙に挿通させて、この係止片１８ａを被係止フレーム１５のスリット孔１５ａに係止させる。
【００３３】
また、図５に示すように、両支柱１３の上端面には、上方から上部板１９が取り付けられている。この上部板１９には、両支柱１３に形成されているガイド溝１３ｂが上方から連通するように連通切欠１９ａが形成されており、この連通切欠１９ａが背面側に向かって開口し、上部板１９は平面視で略Ｃ字形状に形成されている。
【００３４】
両支柱１３間の後部には、装置胴部３の背面側を閉塞するための後部パネル体２０が取り付けられている。図８に示すように、この後部パネル体２０は、金属材から構成されており、左右端部を正面側に向けて屈曲させた平面視で略コ字形状に形成されている。これら屈曲させた左右端部の上部には、正面側に向かって開口する軸受部２０ａが形成されている。
【００３５】
一方、両支柱１３の後部の左右内側面の上部には、後部パネル体２０の軸受部２０ａを係止するための係止軸２１が左右方向を向いて取り付けられている。後部パネル体２０は両係止軸２１に軸受部２０ａを係止させるとともに、下端部を中央ベース４ａの上面に取り付けられた磁石１０の磁力によって装置胴部３の内方に向けて引き付けさせる事で装置胴部３の背面側が後部パネル体２０により閉塞される。
【００３６】
後部パネル体２０を開放することで装置胴部３内部にアクセスすることができる。また、中央ベース４ａの左右端部には、傾斜面４ｃが形成されているため、装置胴部３の背面側を閉塞する後部パネル体２０と両傾斜面４ｃとの間には、装置胴部３の内部と外部とに連通する間隙が形成されている。
【００３７】
尚、前述した両支柱１３と前部パネル体１６及び後部パネル体２０の表面によって、装置胴部３の外周面が構成されている。すなわち両支柱１３は、外部に露呈された装置胴部３の筐体の一部を構成している。
【００３８】
立設基部６は、前述したようにベース体４に立設された両支柱１３のガイド溝１３ｂに上部板１９の連通切欠１９ａを介して上方から嵌合される。また、立設基部６の左右寸法及び前後寸法は、ガイド溝１３ｂ及び連通切欠１９ａを上下動可能な大きさに形成されている。
【００３９】
図５に示すように、立設基部６は、左右の上下方向を向く側部フレーム６ａを有している。両側部フレーム６ａの背面側の上端部間には、使用者が把持可能な後部把持部２２が渡設されている。また、両側部フレーム６ａ間の上下方向の略中間部には、中間フレーム６ｂが渡設されている。この中間フレーム６ｂの正面側の上部には、両側部フレーム６ａ間を閉塞するための前部閉塞板２３が取り付けられている。
【００４０】
更に、中間フレーム６ｂの背面側上部には、後部閉塞板２４が取り付けられている。両側部フレーム６ａと前部閉塞板２３と後部閉塞板２４とで囲まれた空間は、ディスプレイ２の配線Ｃ（図８参照）を挿通させるための配線配置空間２５に形成されている。尚、中間フレーム６ｂと後部閉塞板２４との間には、間隙が形成されており、この間隙からディスプレイ２の配線Ｃを装置胴部３内を下方に向けて延設できるようになっている。
【００４１】
そして、中間フレーム６ｂには、本発明における位置固定手段としてのガススプリング１２の上端部が取り付けられている。このガススプリング１２は、圧縮空気（ガス）を封入させたシリンダ１２ａと、このシリンダ１２ａ内部に配置され、シリンダ１２ａの先端部から出し入れされる図示しないピストンロッドとを有しており、下端部を押圧されることによって、ピストンロッドの出し入れがなされて、ガススプリング１２の上下長さが変更可能となっている。
【００４２】
また、両側部フレーム６ａの下端部には、下部フレーム６ｃが渡設されている。この下部フレーム６ｃの上面中央には、上下方向に貫通孔６ｄが穿設される。この貫通孔９ｂにガススプリング１２の下端部が挿通されており、下部フレーム６ｃの下方にガススプリング１２の下端部が配置されている。
【００４３】
前述したように、立設基部６は、ガススプリング１２のピストンロッドがシリンダ１２ａ内部に収納されている状態で、装置胴部３内に上方から左右の側部フレーム６ａがガイド溝１３ｂに嵌合するように挿通される。そして、ガススプリング１２の下端部を操作凹部４ｂ内に配置することで、立設基部６は脚体５内で立設される。
【００４４】
図２及び図３に示すように、使用者が後部把持部２２を把持して上向きに力を加えながら操作ペダル１１を踏むことによって、ガススプリング１２から上方に向けてピストンロッドが延設され、立設基部６が上昇する。上昇した立設基部６はシリンダ１２ａ内の圧縮空気の圧力によって上昇位置が固定される。尚、上昇した立設基部６を降下させるには、使用者が後部把持部２２を把持して下向きに力を加えながら、再び操作ペダル１１を踏むことによって、ピストンロッドをシリンダ１２ａ内に収納される。
【００４５】
尚、図９に示すように、両支柱１３のガイド溝１３ｂの下部の内側には、両側部フレーム６ａの左右外側面と正面と背面とに当接するように、摺動部２６が設けられている。この摺動部２６は、摩擦抵抗の少ない複数のボールベアリング２６ａを、ガイド溝１３ｂと側部フレーム６ａとの間に配置し、これらボールベアリング２６ａをガイド溝１３ｂに対して板材２６ｂによって取り付けることで構成されている。
【００４６】
この板材２６ｂには、ボールベアリング２６ａがガイド溝１３ｂと側部フレーム６ａとの両方に当接可能とする孔部２６ｃが複数穿設されており、ボールベアリング２６ａは、これら孔部２６ｃから側部フレーム６ａに当接することによって、立設基部６の昇降のガイドを行っている。
【００４７】
図５に示すように、立設基部６の支持部７は、立設基部６の上部の正面側に取り付けられる取付部材２７と、この取付部材２７の正面の左右に取り付けられる一対の固定部材２８と、上部横杆８ａ及び下部横杆８ｂに連結される連結部材２９とから構成されている。
【００４８】
取付部材２７は、ディスプレイの支持装置１の背面側に向かって開口する略箱状に形成されており、その左右側面には、ディスプレイ２の配線Ｃを挿通させるための上部切欠２７ａが形成されている。
【００４９】
図７に示すように、固定部材２８は、取付部材２７に螺着する取付片２８ａと、この取付片２８ａの左右外側端面から正面側に向かって延設された固定片２８ｂと、から構成されている。また、固定部材２８は、平面視で略Ｌ字形状に形成されている。固定片２８ｂの上部には、円形状の円形孔部２８ｃが形成されているとともに、固定片２８ｂの下部には、前後方向に長い長円形状の長円孔部２８ｄが形成されている。
【００５０】
また、連結部材２９は、支持片２９ａと、この支持片２９ａの左右外側端部から正面側に向かって延設された連結片２９ｂと、から構成されている。また、連結部材２９は、平面視で正面側に開口する略コ字形状に形成されている。これら連結片２９ｂの上部には、上部横杆８ａが固着されるとともに、連結片２９ｂの下部には、下部横杆８ｂが固着されている。尚、図６に示すように、上部横杆８ａ及び下部横杆８ｂは、側面視で円形に形成された円柱形状をなしており、連結部材２９の左右外側方に向かって延設されている。
【００５１】
上部横杆８ａ及び下部横杆８ｂには、連結部材２９の左右外側方から固定部材２８が取り付けられている。具体的には、両固定部材２８は左右外側方向から上部横杆８ａに円形孔部２８ｃを挿通させるとともに、下部横杆８ｂに長円孔部２８ｄを挿通させて、連結部材２９を両固定部材２８間に配置させる。この状態で、両固定部材２８の取付片２８ａを取付部材２７の正面に螺着することによって、連結部材２９が固定部材２８と取付部材２７を介して立設基部６に取り付けられる。
【００５２】
尚、図６に示すように、連結部材２９は、上部横杆８ａが円形孔部２８ｃに挿通され、下部横杆８ｂが長円形孔部２８ｃに挿通されているため、上部横杆８ａを支軸として長円形孔部２８ｃの前後寸法の範囲で前後揺動可能となっている。
【００５３】
ディスプレイ２を正面に取り付けて上部横杆８ａ及び下部横杆８ｂに取り付けられる縦杆９には、図５及び図６に示すように、背面側上部に上部横杆８ａに係合するためのフック部９ｃが設けられている。
【００５４】
また、縦杆９の背面側下部には、下部横杆８ｂに下方から当接する締結部９ｄが設けられている。この締結部９ｄには、摘み部３０ａを有する本発明における螺合部材としてのユリアネジ３０が螺合可能となっている。図６に示すように、フック部９ｃが上部横杆８ａに係合した縦杆９の締結部９ｄを下部横杆８ｂの下部に当接させた後、締結部９ｄに下方からユリアネジ３０を螺合させることで、ユリアネジ３０の先端が下部横杆８ｂに当接するようになっている。
【００５５】
このとき、ユリアネジ３０の先端が下部横杆８ｂに当接したことによって摩擦力が発生するため、縦杆９はこの摩擦力によって上部横杆８ａ及び下部横杆８ｂでの位置を固定される。尚、ディスプレイ２の左右位置を変更したい場合には、両縦杆９のユリアネジ３０を緩めて縦杆９を上部横杆８ａ上で左右方向にスライド移動可能とすることで適宜調整することもできる。
【００５６】
また、上部横杆８ａ及び下部横杆８ｂに取り付けられた縦杆９は、連結部材２９が上部横杆８ａを支軸として前後方向に揺動可能となっているため、この連結部材２９と同じく、縦杆９は前後方向に揺動可能となっている。具体的には、縦杆９は正面が垂直となっている状態から下部横杆８ｂが長円孔部２８ｄを後方に移動することで、下端部側が後方に向けて所定の傾斜角度θをなして揺動するようになっている。
【００５７】
更に、図５に示すように、両固定部材２８の固定片２８ｂには、前後２つの調整孔２８ｅが形成されており、連結部材２９の連結片２９ｂには、螺着孔２９ｃが形成されている。これら２つの調整孔２８ｅのうち、正面側の調整孔２８ｃは、図６に示すように、縦杆９の正面が垂直となっている状態で螺着孔２９ｃと連通するようになっており、背面側の調整孔２８ｃは、縦杆９が所定の傾斜角度θをなして揺動した状態で螺着孔２９ｃと連通するようになっている。
【００５８】
そして、どちらかの調整孔２８ｃと連通した螺着孔２９ｃに摘み部３１ａを有するユリアネジ３１（螺合部材）が連通した調整孔２８ｃから螺着されることによって、連結部材２９が固定部材２８に対して固定される。尚、調整孔２８ｃと螺着孔２９ｃ及びユリアネジ３１は、本発明における位置決め手段を構成している。
【００５９】
このため、本発明におけるディスプレイの支持装置１の縦杆９に取り付けられているディスプレイ２は、画面を垂直な状態と、下方に向けて所定の傾斜角度θをなして傾斜させた状態とで調整可能となっている。尚、このディスプレイ２の所定の傾斜角度θは、長円孔部２８ｄの前後寸法によって変化させることができる。更に尚、本実施例では、所定の傾斜角度θがおよそ５度程度となっている。
【００６０】
尚、ディスプレイ２の配線Ｃは、取付部材２７の上部切欠２７ａに挿通させた後に、前部閉塞板２３及び後部閉塞板２４で囲まれた配線配置空間２５を通過させ、中央ベース４ａの傾斜面４ｃと後部パネル体２０間に形成された間隙を介して外部に延設させることにより、ディスプレイの支持装置１の正面側から配線Ｃを隠蔽して、ディスプレイ２を他の映像機器や電源等に接続することができる。
【００６１】
以上説明したように、本発明の実施例１としてのディスプレイの支持装置１では、脚体５から立設された立設基部３の正面側に設けられた支持部７に、上下一対の上部横杆８ａ及び下部横杆８ｂを設け、ディスプレイ２の背面側に取り付けられた左右一対の縦杆９を、それぞれ上部横杆８ａ及び下部横杆８ｂに連結し、少なくとも上部横杆８ａまたは下部横杆８ｂを支軸として立設基部３に対する縦杆９の傾きが調整可能となっていることで、ディスプレイ２の上下方向の傾きを調整及び固定可能なディスプレイの支持装置１を簡素な構成で製作でき、かつディスプレイ２が取り付けられた縦杆９は、上部横杆８ａ及び下部横杆８ｂを介して常に支持部７に対して支持されており、支持部７に対するディスプレイ２の支持状態を解除することなく、上部横杆８ａまたは下部横杆８ｂを支軸としてディスプレイ２の傾きを調整できる。
【００６２】
また、左右の両縦杆９は、それぞれ上部横杆８ａ及び下部横杆８ｂに沿って左右方向に移動可能になっていることで、様々な左右幅のディスプレイ２に対応して左右の縦杆９の離間距離が変化しても、縦杆９を上部横杆８ａ及び下部横杆８ｂに連結することができる。
【００６３】
また、上部横杆８ａ及び下部横杆８ｂを側面視で円形状に形成し、支持部７の上下いずれか一方に形成した円形状をなす円形孔部２８ｃと、他方に形成した前後方向に長い長円形状をなす長円孔部２８ｄと、に上部横杆８ａ及び下部横杆８ｂをそれぞれ挿設させることで、長円孔部２８ｄに挿設される上下いずれか一方の上部横杆８ａまたは下部横杆８ｂは、長円孔部２８ｄの範囲内で前後方向に移動でき、その移動によりディスプレイ２の傾きの調整を行うことができ、簡素な構成でディスプレイ２の上下方向の傾きを調整できる。
【００６４】
また、支持部７は、円形孔部２８ｃ及び長円孔部２８ｄが形成されて立設基部３に固定される固定部材２８と、少なくとも長円孔部２８ｄに挿設される上部横杆８ａまたは下部横杆８ｂに連結された連結部材２９と、で構成されており、支持部７には、固定部材２８に対する連結部材２９の前後方向の位置決めを行う調整孔２８ｃと螺着孔２９ｃ及びユリアネジ３１が設けられることで、上部横杆８ａ及び下部横杆８ｂは、円形孔部２８ｃ及び長円孔部２８ｄが形成された固定部材２８により互いに強固に連結されるようになり、かつ調整孔２８ｃと螺着孔２９ｃ及びユリアネジ３１により連結部材２９の前後方向の位置決めを行うことで、長円孔部２８ｄに上部横杆８ａまたは下部横杆８ｂを挿通させた状態で、固定部材２８に対するディスプレイ２の支持状態を解除することなく、ディスプレイ２の傾きを調整できる。
【００６５】
また、縦杆９の上部には、上部横杆８ａに係合されるフック部９ｃが設けられるとともに、縦杆９の下部には、摘み部３０ａを有するユリアネジ３０を用いて下部横杆８ｂに締結される締結部９ｄが設けられることで、縦杆９が取り付けられたディスプレイ２の上部を、上部横杆８ａに対してフック部９ｃを用いて係止させた状態で、摘み部３０ａを有するユリアネジ３０によりディスプレイ２の下部を下部横杆８ｂに締結することができ、ディスプレイ２の取付作業を簡便に行うことができる。
【実施例２】
【００６６】
次に、実施例２に係るディスプレイの支持装置につき、図１０〜図１３を参照して説明する。尚、前記実施例と同一構成で重複する構成を省略する。図１０は、実施例２におけるディスプレイの支持装置を示す斜視図であり、図１１は、ディスプレイ支持装置を示す分解斜視図であり、図１２は、図１０におけるＤ−Ｄ断面図であり、図１３は、図１０におけるＥ−Ｅ断面図である。以下、図１２の紙面下方側をディスプレイの支持装置の正面側（前方側）とし、図１３の紙面左方側をディスプレイの支持装置の正面側（前方側）として説明する。
【００６７】
図１０に示すように、実施例２のディスプレイの支持装置３２は、実施例１のディスプレイの支持装置１と異なり、脚体５から昇降可能に立設される立設基部６が設けられておらず、脚体５を構成する装置胴部３３の正面側にディスプレイが取り付けられるようになっている。
【００６８】
実施例２のディスプレイの支持装置３２について具体的に説明すると、ディスプレイの支持装置３２は、装置胴部３３の正面側にディスプレイを取り付けるための支持部３４が取り付けられている。尚、実施例２では、装置胴部３３が本発明における立設基部を構成している。
【００６９】
図１１及び図１３に示すように、装置胴部３３の正面側には、上下方向に並設された複数のスリット孔１５ａが設けられている。支持部３４は、被係止フレーム１５のスリット孔１５ａに係止する左右一対の係止ブラケット３５（固定部材）と、上部横杆８ａ及び下部横杆８ｂが連結された連結部材３６と、係止ブラケット３５とともに上部横杆８ａを回動自在に保持する押え部材３７と、から構成されている。
【００７０】
図１１及び図１２に示すように、装置胴部３３の正面側を閉塞している前部パネル体３８には、貫通孔３８ａが形成されており、この貫通孔３８ａを介してディスプレイの配線Ｃを、装置胴部３３内部に延設できるようになっている。
【００７１】
図１１及び図１２に示すように、係止ブラケット３５は、その後端部に被係止フレーム１５のスリット孔１５ａに係止するための係止片３５ａが形成された板状部材となっている。尚、係止片３５ａは、１つの係止ブラケット３５に対して上部、中部、下部の３箇所に形成されており、この係止片３５ａは、下方に屈曲されて側面視で略Ｌ字形状をなしている。係止ブラケット３５の正面側上部には、上方に開口する上方凹部３５ｂが形成されている。この上方凹部３５ｂには、上部横杆８ａが係合されるようになっているとともに、上部横杆８ａが回動可能なように、上方凹部３５ｂの底部は側面視で略円弧状に形成されている。
【００７２】
また、係止ブラケット３５の下方前部には、正面側及び下方に開口されて切り欠かれた下方切欠３５ｃが形成されている。この下方切欠３５ｃには、下部横杆８ｂが配置されるようになっている。更に、これら上方凹部３５ｂと下方切欠３５ｃとの間には、前後２つの調整孔２８ｅ（位置決め手段）が形成されている。
【００７３】
連結部材３６は、上部横杆８ａ及び下部横杆８ｂが上下端部に固着された左右の両連結片３６ｂと、この連結片３６ｂを互いに連結支持する支持片３６ａと、を有している。連結片３６ｂは、支持片３６ａの左右外側端部から正面側に向かって延設されており、連結片３６ｂとが平面視で略Ｌ字状を形成している。
【００７４】
更に、上部横杆８ａ及び下部横杆８ｂは、連結部材３６の左右外側方に向かって延設されており、これら上部横杆８ａ及び下部横杆８ｂの左右両端部は、板状を成す外側連結片３９によって連結されている。そのため上部横杆８ａ及び下部横杆８ｂの左右両端部がぐらつかないように強度の向上がなされている。尚、外側連結片３９の上下端部はラウンドされており、ディスプレイの支持装置３２の周囲の人が、上部横杆８ａ及び下部横杆８ｂに当たっても安全性が保たれるようになっている。
【００７５】
尚、両連結片３６ｂにおける上部横杆８ａと下部横杆８ｂとの間には、上部横杆８ａが支軸となって揺動された際に、両連結片３６ｂの下端が前方位置または後方位置のいずれかにあるときに、係止ブラケット３５の調整孔２８ｅに連通する螺着孔２９ｃが形成されている。
【００７６】
図１１に示すように、押え部材３７は、正面側に向かって延設された左右一対の押え片３７ａを有している。これらの押え片３７ａは、背面側の上端部及び下端部において左右方向を向く上下２本の接続片３７ｂによって一体的に接続されている。また、両押え片３７ａの上方前端部には、正面側に向けて延設された押え凹部３７ｃが形成されている。
【００７７】
これら押え凹部３７ｃは下方に向けて開口する凹部であり、押え凹部３７ｃは係止ブラケット３５の上方凹部３５ｂ内に保持された上部横杆８ａを上方から押えることで、上方凹部３５ｂ内から上部横杆８ａを着脱不能にする。また、上方凹部３５ｂ内の上部横杆８ａが回動できるように、上部横杆８ａと当接する上部が側面視で略円弧状に形成されている。尚、押え部材３７には、係止ブラケット３５に形成された貫通孔３５ｄに挿通されたユリアネジ４０が螺着される螺着孔３７ｄが形成されている。
【００７８】
これら係止ブラケット３５と連結部材３６と押え部材３７とから構成された支持部３４を装置胴部３３に取り付ける際には、先ず、両係止ブラケット３５の係止片３５ａを被係止フレーム１５のスリット孔１５ａに係止させる。次に、両係止ブラケット３５の上方凹部３５ｂに上部横杆８ａを上方から保持させるとともに、押え片３７ａと係止ブラケット３５とをユリアネジ４０によって互いに螺着することで、押え部材３７は係止ブラケット３５に取り付けられる。そして、上方凹部３５ｂと押え凹部３７ｃによって上部横杆８ａが保持される。尚、支持部３４が装置胴部３３に取り付けられた状態では、押え部材３７の上下の接続片３７ｂが前部パネル体３８に当接されるようになっている。
【００７９】
図１３に示すように、支持部３４を装置胴部３３に取り付けることによって、上部横杆８ａ及び下部横杆８ｂに取り付けられる左右の縦杆９を、上部横杆８ａを支軸として前後方向に揺動可能とすることができる。尚、縦杆９を揺動させた後、前後いずれかの調整孔２８ｅと連通した螺着孔２９ｃにユリアネジ３１が螺着されることによって、連結部材３６が係止ブラケット３５に対して固定される。
【００８０】
図１０及び図１３に示すように、係止ブラケット３５に設けられた３つの係止片３５ａの内、上部に設けられた係止片３５ａの上端には、小さな突起部４１が設けられている。突起部４１が形成されているために、係止ブラケット３５を被係止フレーム１５から取り外す際には、係止ブラケット３５を上方に少し移動させた後に、突起部４１を支点をして係止ブラケット３５を若干傾斜させて、中部と下部の係止片３５ａをスリット孔１５ａから外し、それから上部の係止部３５ａを外す必要がある。
【００８１】
支持部３４が装置胴部３３に取り付けられた状態では、押え部材３７の上下の接続片３７ｂが前部パネル体３８に当接されているため、係止ブラケット３５を上方に少し移動させた状態で傾けようとしても、その傾きが上方の接続片３７ｂにより規制されるようになっており、係止ブラケット３５は、被係止フレーム１５から取り外せないようになっている。つまり装置胴部３３の正面側にて、係止ブラケット３５と連結部材３６と押え部材３７とが互いに組み合わされて支持部３４を構成すると、この支持部３４は不用意に装置胴部３３から取り外せないように固定される。
【００８２】
更に尚、下部横杆８ｂは、縦杆９の正面が下方に向けて揺動（傾斜）されると下方切欠３５ｃの後端部に当接するようになっており、縦杆９の揺動範囲を規制している。そのためディスプレイ２の傾きの調整中に不用意にディスプレイ２が傾き過ぎないようになっている。
【００８３】
また、図１１及び図１２に示すように、ディスプレイの配線Ｃは、連結部材３６における支持片３６ａと上部横杆８ａ及び下部横杆８ｂとの間の間隙と、押え部材３７の押え片３７ａ及び接続片３７ｂによって形成された略方形状の開口を介して、前部パネル体３８の貫通孔３８ａに挿通される。そのためディスプレイの支持装置３２の正面側から配線Ｃが隠蔽されるようになっている。
【００８４】
以上説明したように、本発明の実施例２としてのディスプレイの支持装置３２では、支持部３４は、上方に開口した上方凹部３５ｂが形成されて装置胴部３３（立設基部）に固定される係止ブラケット３５（固定部材）と、上方凹部３５ｂの上方の開口を閉じる押え凹部３７ｃが形成された押え部材３７と、で構成されており、上部横杆８ａが上方凹部３５ｂに保持された状態で、押え部材３７が係止ブラケット３５に取り付けられることで、上部横杆８ａの支持部３４に対する取付作業を容易に行うことができ、かつ常に係止ブラケット３５の上方凹部３５ｂにて上部横杆８ａが支持されるようになるため、例え押え部材３７が外れた状態であっても、上部横杆８ａは係止ブラケット３５から脱落せずに済むようになる。
【００８５】
また、装置胴部３３（立設基部）の正面側には、上下方向に並設された複数のスリット孔１５ａが設けられ、スリット孔１５ａに係止される係止片３５ａが支持部３４（係止ブラケット３５）に設けられることで、支持部３４を容易に装置胴部３３の正面側に取り付けることができ、かつ係止片３５ａが係止されるスリット孔１５ａを変更することで、支持部３４の配置位置を装置胴部３３における上下方向の任意の位置に変更することができる。また、目立ち難いスリット孔１５ａを装置胴部３３の正面側に設けるため、装置胴部３３の見栄えに影響を与えずに済むようになる。
【００８６】
以上、本発明の実施例を図面により説明してきたが、具体的な構成はこれら実施例に限られるものではなく、本発明の要旨を逸脱しない範囲における変更や追加があっても本発明に含まれる。
【００８７】
例えば、前記実施例１では、固定片２８ｂの上部に円形孔部２８ｃを形成するとともに固定片２８ｂの下部に長円形孔部２８ｃを形成し、円形孔部２８ｃに上部横杆８ａを挿通させるとともに、長円形孔部２８ｃに下部横杆８ｂを挿通させ、上部横杆８ａを支軸として連結部材２９が揺動するようにしたが、固定片２８ｂの上部に長円形孔部を形成するとともに固定片２８ｂの下部に円形孔部２８ｃを形成し、長円孔部に上部横杆８ａを挿通させるとともに、円形孔部に下部横杆８ｂを挿通させ、下部横杆８ｂを支軸として連結部材２９が揺動するようにしてもよい。
【００８８】
また、前記実施例１では、位置固定手段としてのガススプリング１２を立設基部６に取り付け、このガススプリング１２を操作ペダル１１によって操作することで立設基部６を昇降させた後に、立設基部６の高さ位置を固定させたが、立設基部６の昇降とこの昇降による立設基部６の高さ位置を固定する機能を有していれば、位置固定手段はオイルダンパやバネ等の伸縮手段や係合部と被係合部で構成されるロック手段であってもよい。
【００８９】
また、前記実施例１では、ディスプレイ２の配線Ｃを取付部材２７の上部切欠２７ａから挿通させ、配線Ｃを中央ベース４ａの傾斜面４ｃと後部パネル体２０間に形成された間隙から延設させることによって、ディスプレイの支持装置１の正面側から配線Ｃを隠蔽し、ディスプレイ２を他の映像機器や電源等に接続できるようにしたが、例えば、配線配置空間２５内にディスプレイ２に電力を供給するためのバッテリを収納して、上部切欠２７ａから挿通されたディスプレイ２の配線Ｃをこのバッテリに接続できるようにしてもよい。
【００９０】
また、前記実施例では、薄型液晶テレビ等をディスプレイ２として説明したが、ディスプレイ２は、例えば、ディスプレイの支持装置１の正面側から投影された映像を映し出すためのプロジェクタースクリーン等やその他の機器であってもよい。
【図面の簡単な説明】
【００９１】
【図１】本発明の実施例１におけるディスプレイの支持装置を示す斜視図である。
【図２】立設基部の昇降及び縦杆の左右移動を示すディスプレイ支持装置を示す正面図である。
【図３】立設基部の昇降を示すディスプレイ支持装置を示す側面図である。
【図４】ディスプレイ支持装置を示す平面図である。
【図５】ディスプレイ支持装置を示す分解斜視図である。
【図６】支持部を示す側面図である。
【図７】図２におけるＡ−Ａ断面図である。
【図８】図２におけるＢ−Ｂ断面図である。
【図９】図２におけるＣ−Ｃ断面図である。
【図１０】実施例２におけるディスプレイの支持装置を示す斜視図である。
【図１１】ディスプレイ支持装置を示す分解斜視図である。
【図１２】図１０におけるＤ−Ｄ断面図である。
【図１３】図１０におけるＥ−Ｅ断面図である。
【符号の説明】
【００９２】
１                ディスプレイ支持装置
２                ディスプレイ
４ｆ              キャスター
５                脚体
６                立設基部
７                支持部
８ａ              上部横杆
８ｂ              下部横杆
９                縦杆
９ｃ              フック部
９ｄ              締結部
１１              操作ペダル（操作部）
１２              ガススプリング（位置固定手段）
１３              支柱
１３ａ            傾斜面
１３ｂ            ガイド溝（ガイド部）
１４              側方把持部（把持部）
１５              被係止フレーム
１５ａ            スリット孔
１６              前部パネル体
１７              天板
１８              棚板支持ブラケット
１８ａ            係止片
２８              固定部材
２８ｃ            円形孔部
２８ｄ            長円孔部
２８ｅ            調整孔（位置決め手段）
２９              連結部材
２９ｃ            螺着孔（位置決め手段）
３１              ユリアネジ（位置決め手段）
３１ａ            摘み部
３２              ディスプレイの支持装置
３３              装置胴部
３４              支持部
３５              係止ブラケット（固定部材）
３５ａ            係止片
３５ｂ            上方凹部
３５ｃ            下方切欠
３６              連結部材
３６ａ            支持片
３７              押え部材
３７ａ            押え片
３７ｃ            押え凹部
【図１】
2010107745.tif 000003
【図２】
2010107745.tif 000004
【図３】
2010107745.tif 000005
【図４】
2010107745.tif 000006
【図５】
2010107745.tif 000007
【図６】
2010107745.tif 000008
【図７】
2010107745.tif 000009
【図８】
2010107745.tif 000010
【図９】
2010107745.tif 000011
【図１０】
2010107745.tif 000012
【図１１】
2010107745.tif 000013
【図１２】
2010107745.tif 000014
【図１３】
2010107745.tif 000015